(57)【要約】【課題】本発明は擁壁に形成した鳥出入用開口から内奥へ向け営巣トンネルを掘削する営巣行為を有効に誘起し、カワセミ、ヤマセミ、ショウドウツバメ等、崖に自力で営巣トンネルを掘削して営巣する鳥類に適した営巣環境を提供し、又擁壁における鳥類営巣構造を短い工期に且つ安価に形成できるようにした擁壁における鳥類営巣構造を提供する。【解決手段】擁壁を形成する覆工板１に鳥の出入用開口４を貫設し、他方営巣適性土を締め固めして営巣用土柱５を形成し、該営巣用土柱５を上記覆工板１の背面の被覆工土２中にその周面（５ｃ，５ｄ，５ｅ）及び後端面５ｂが被覆工土２と接するように埋設し、該営巣用土柱５の覆工板１と対向する前端面５ａを上記鳥出入用開口４の背面側開口面に面して露出させた擁壁における鳥類営巣構造。【選択図】        図１
2006109809.tif 000002
【特許請求の範囲】
【請求項１】
擁壁を形成する覆工板に鳥の出入用開口を貫設し、他方営巣適性土を締め固めして営巣用土柱を形成し、該営巣用土柱を上記覆工板の背面の被覆工土中にその周面及び後端面が被覆工土と接するように埋設し、該営巣用土柱の覆工板と対向する前端面を上記鳥出入用開口の背面側開口面に面して露出させたことを特徴とする擁壁における鳥類営巣構造。
【請求項２】
擁壁を形成する覆工板に鳥の出入用開口を貫設し、他方営巣適性土を締め固めして営巣用土柱を形成し、該営巣用土柱を上記覆工板の背面の被覆工土中にその上面を除く周面及び後端面が被覆工土と接するように埋設し、営巣用土柱の上面を止水板又は止水層で覆い、該営巣用土柱の覆工板と対向する前端面を上記鳥出入用開口の背面側開口面に面して露出させたことを特徴とする擁壁における鳥類営巣構造。
【請求項３】
上記営巣用土柱の上面をアーチ形面又は斜面から成る流れ屋根面形状としたことを特徴とする請求項１又は請求項２記載の擁壁における鳥類営巣構造。
【請求項４】
上記営巣用土柱の外部は強締め固め土で形成し、同内部は弱締め固め土で形成したことを特徴とする請求項１又は請求項２記載の擁壁における鳥類営巣構造。
【発明の詳細な説明】
【技術分野】
【０００１】
本発明は擁壁の背面の被覆工土中に鳥類が営巣トンネルを適切に掘削できるようにした擁壁における鳥類営巣構造に関する。
【背景技術】
【０００２】
覆工板又は覆工ブロック又はコンクリート打設によって形成する擁壁は、カワセミ、ヤマセミ、ショウドウツバメ等、崖に自力で営巣トンネルを掘削して営巣する鳥類の営巣環境を奪い、これら鳥の繁殖を阻害する問題が指摘され、その改善が求められている。
【０００３】
特許文献１は従来の技術として木製の巣箱内にプラスチック管を配し、該プラスチック管の一端を覆工板に設けた鳥出入用開口と連通せしめ、他端を巣箱の後部空間内に開口せしめて、該後部空間を産室とする鳥類営巣構造を開示している。
【０００４】
他方上記特許文献１は上記従来技術に代わる鳥類営巣構造として、擁壁の背面に営巣用土砂層を設けると共に、該擁壁を形成する覆工板に該営巣用土砂層に面する鳥出入用開口を設け、鳥が該鳥出入用開口を通じて営巣用土砂層に営巣トンネルを自力で掘削できるようにした鳥類営巣構造を提供している。
【０００５】
又特許文献２はプラスチック製の容器内に営巣土を締め固めして内填したものを用意し、該容器の開口端を覆工板に設けた鳥出入用開口と連通せしめ、鳥がプラスチック製容器内の土中に営巣トンネルを自力で掘削せしめることを意図した鳥類営巣構造を提供している。
【特許文献１】特公平７−２４５２６号公報
【特許文献２】特開２００１−１５２４２８号公報
【発明の開示】
【発明が解決しようとする課題】
【０００６】
然るに特許文献１に開示する巣箱とプラスチック管によって構成する鳥類営巣構造においては、プラスチック管であるが故に土中に自力で営巣トンネルを掘削する習性を有する前記鳥類が営巣を忌避し、営巣効果が期待できない問題を有する。
【０００７】
又特許文献１にて提供する覆工板の背面に営巣用土砂層を設ける方法においては、その［００１５］に「予め用意したカワセミの習性・生態に合った粘土質の土を適度に締め固めて営巣用の土砂層１９を形成した。」と述べる通り、営巣に適した土を事前に用意し、該土を擁壁の間口方向に一定の厚さに敷き込み、層全体を締め固めする繁雑な作業が必要であり、工費が高くつく問題点を有している。
【０００８】
加えて営巣用土砂層全体がその上面を覆う被覆工土の荷重により過度に沈降して崩壊し、亀裂を発生する等して営巣用土砂層としての機能を損なう問題点を有している。
【０００９】
又特許文献２の営巣構造は、プラスチック製容器であるが故に土中に自力で巣穴を掘削する習性を有する前記鳥類が営巣を忌避する問題を有する。
【００１０】
加えてプラスチック製容器内の営巣土にカビ、極度の乾燥等を発生し営巣環境を損なう問題を有している。
【課題を解決するための手段】
【００１１】
本発明は上記特許文献１，２で開示する営巣構造の問題点を有効に解消する擁壁における鳥類営巣構造を提供する。
【００１２】
要述すると本発明は、擁壁を形成する覆工板に鳥の出入用開口を貫設し、他方営巣適性土を締め固めして営巣用土柱を形成し、該営巣用土柱を上記覆工板の背面の被覆工土中にその周面及び後端面が被覆工土と接するように埋設し、該営巣用土柱の覆工板と対向する前端面を上記鳥出入用開口の背面側開口面に面して露出させた構造を有する鳥類営巣構造を提供する。
【００１３】
又本発明は、上記営巣用土柱を上記覆工板の背面の被覆工土中にその上面を除く周面及び後端面が被覆工土と接するように埋設し、営巣用土柱の上面を止水板又は止水層で覆い、該営巣用土柱の覆工板と対向する前端面を上記鳥出入用開口の背面側開口面に面して露出させた構造を有する擁壁における鳥類営巣構造を提供する。
【００１４】
テールアルメ工法においては被覆工土を覆工する任意の覆工板に上記鳥出入用開口を単数又は複数貫設する。
【００１５】
又はジオテキスタイル工法においては被覆工土を覆う覆工メッシュと覆工配筋マットから成る擁壁の適所に覆工板を配設し、該覆工板に鳥出入用開口を単数又は複数貫設する。
【００１６】
上記鳥類営巣構造における実施態様例として、上記営巣用土柱の上面はアーチ形面又は斜面から成る流れ屋根面形状とする。
【００１７】
又上記鳥類営巣構造における実施態様例として、上記営巣用土柱の外部は強締め固め土で形成し、同内部は弱締め固め土で形成する。
【発明の効果】
【００１８】
上記擁壁における鳥類営巣構造は、擁壁を形成する覆工板に貫設した鳥出入用開口に対応した局部に土を締め固めして形成した営巣用土柱を裸で埋設する。
【００１９】
従って特許文献１における営巣用土砂層全体が上層土の荷重により沈降崩壊する問題点を可及的に防止する。又営巣構造の設置作業を容易にし、工費を削減する。
【００２０】
又特許文献２におけるプラスチック製容器の内径に制限されずに、営巣用土柱を所要の太さや長さに成形し、営巣トンネルの掘削に適した環境を提供でき、プラスチック管やプラスチック容器による営巣忌避の問題を解消できる。
【００２１】
又営巣用土柱上面の流れ斜面により、上記雨水を同土柱の周辺に案内し、営巣トンネルへの雨水滲入を有効に防止し、営巣環境を健全に保つ。
【００２２】
又営巣用土柱の上面を止水板又は止水層で覆うことにより、雨水と樹木の根の侵入を遮蔽し、上記営巣環境を健全に保つ。
【発明を実施するための最良の形態】
【００２３】
以下本発明を実施するための最良の形態を図１乃至図１０に基づき説明する。
【００２４】
＜営巣用土柱５の実施形態・・・図８乃至図１０参照＞
図８乃至図１０に示すように、上記営巣用土柱５は営巣に適した土を締め固めして成形した土柱であり、該土柱は角柱形又は円柱形又は蒲鉾形等に成形する。
【００２５】
上記角柱形又は円柱形又は蒲鉾形等の営巣用土柱５は、型を用い、該型内に営巣適性土を充填し全体を均一に締め固めし成形する。
【００２６】
又は図９Ａ，Ｂに示すように、角柱形又は円柱形又は蒲鉾形等の営巣用土柱５は、その外部を強締め固め土５′で形成し、同内部は鳥の自力掘削に適した圧縮力で締め固めした弱締め固め土５″で形成する。即ち強締め固め土５′で形成した中空柱体内に弱締め固め土５″を内填し、強締め固め土５′と弱締め固め土５″の複合構造柱とする。
【００２７】
上記営巣用土柱５は図８Ａ，Ｂに示すように、その上面５ｃをアーチ形面から成る流れ屋根面にして蒲鉾形にするか、又はその上面５ｃを片流れ斜面又は両流れ斜面から成る流れ屋根面にする。又は営巣用土柱５は図２に示すように角柱形にし、その上面５ｃを平面にする。上記各営巣用土柱５の前端面５ａと後端面５ｂは平面から成る。
【００２８】
上記営巣用土柱５は全外周面を容器や巣箱で覆わずに、換言すると容器内に収容せずに、裸にして被覆工土２中に埋設する。即ち覆工板１と対向する前端面５ａを除く周面（上面５ｃと側面５ｄと底面５ｅ）と後端面５ｂとが被覆工土２と接するように埋設し横設する。
【００２９】
又は図１０Ａ，Ｂに示すように、上記営巣用土柱５の上面５ｃを同上面５ｃに接する止水板又は止水層７で覆い被覆工土２中に埋設する。即ち営巣用土柱５の上面５ｃをアーチ形面にした蒲鉾形にするか、又は円柱形にし、同上面５ｃを止水板又は止水層７で覆う。
【００３０】
上記止水板又は止水層７は以下に述べる第一乃至第四実施形態において、営巣用土柱５の大部分が被覆工土２と接する環境を生成しながら、雨水の営巣トンネル１２内への滲入を有効に防止すると共に、植物の根が営巣用土柱５内、即ち営巣トンネル１２内へ根張りするのを有効に防止する。
【００３１】
上記営巣用土柱５は角柱形にし、その平面から成る上面５ｃを止水板又は止水層７で覆うことができる。
【００３２】
上記止水板７は営巣用土柱５の上面５ｃがアーチ形面である場合には、アーチ形金属板又はアーチ形合成樹脂板にし、該アーチ形面に接して被せる。
【００３３】
又上記止水板７は営巣用土柱５の上面５ｃが平面である場合には、平面金属板又は平面合成樹脂板にし、該平面に接して被せる。
【００３４】
又上記複合構造の営巣用土柱５の上面５ｃを片流れ斜面又は両流れ斜面にした場合には、止水板７は両斜面と同調する形状の金属板又は合成樹脂板にする。
【００３５】
これら止水板７は接着剤を介して土柱５の上面に一体に接着するか、又は単に置き敷きする。
【００３６】
又止水板７に代え上記営巣用土柱５の上面５ｃに止水材を塗布して止水層７を設けることができる。
【００３７】
＜第一実施形態・・・図１乃至図３参照＞
図１乃至図３に示すように、被覆工面を多数のコンクリートパネル１ａに代表される覆工板１で覆い略垂直の擁壁を形成する。各覆工板１は厚み面において互いに係合する構造にすると共に、各覆工板１を被覆工土２中に埋設した覆工板１の後方に延びる牽引材３にて牽引する構造を有する。この工法はテールアルメ工法と呼称される。
【００３８】
上記擁壁を形成する覆工板１に鳥の出入用開口４を貫設し、該覆工板１の背面の被覆工土２中、即ち覆工板１にて覆工される被覆工土２（裏込材２ａを含む）中に上記営巣適性土を締め固めして形成した営巣用土柱５を裸で埋設し、即ち該営巣用土柱５を上記覆工板１の背面の被覆工土２中にその周面５ｃ，５ｄ，５ｅ及び後端面５ｂが被覆工土２と接するように埋設し、該営巣用土柱５の覆工板１と対向する前端面５ａの周面を覆工板１の背面に略当接状態にして同前端面５ａを上記鳥出入用開口４の背面側開口面に面して露出せしめる。
【００３９】
又は上記営巣用土柱５の上面５ｃを前記止水板又は止水層７で覆い、該営巣用土柱５の覆工板１と対向する前端面５ａの周面を覆工板１の背面に略当接状態にして同前端面５ａを上記鳥出入用開口４の背面側開口面に面して露出せしめる。
【００４０】
上記鳥出入用開口４は最大径の営巣トンネル１２を掘削する鳥（ヤマセミ）を基準にし、該最大径の営巣トンネル１２より大径の開口径に設定する。
【００４１】
他方上記営巣用土柱５の太さを上記鳥出入口用開口４の大きさより大きくし、営巣用土柱５の前端面５ａの周面を鳥出入用開口４の背面側開口部の周面（開口部周りの覆工板１の表面）に当接せしめる。
【００４２】
換言すると、上記営巣用土柱５を全長において同じ太さにすると同時に、上下左右幅を上記鳥出入口用開口４の背面側開口部の直径よりも大きくし、営巣用土柱５の前端面５ａの周面を鳥出入用開口４の背面側開口部の周面（開口部周りの覆工板１の表面）に当接せしめる。
【００４３】
よって最小径の営巣トンネルを掘削する鳥（カワセミ）も営巣トンネル１２を掘削でき、共用化が図れる。
【００４４】
以上述べた鳥出入口用開口４に関する構成は以下に述べる第二乃至第四実施例においても実施可能である。
【００４５】
本発明は上記覆工板１の背面に現場で発生した土砂又は採石等の砂利を裏込めすることができ、この裏込材２ａも被覆工土２と称し、この裏込材２ａ中に上記営巣用土柱５を埋設し横設する場合を含む。
【００４６】
図２は角柱形の営巣用土柱５を埋設した例、図３は蒲鉾形の営巣用土柱５を埋設した例を示す。
【００４７】
＜第二実施形態・・・図４，図５参照＞
被覆工土２の前面を覆工ネット８で覆い、更に該前面覆工ネット８の前面を格子組みした前面配筋マット９で覆い、該前面配筋マット９から被覆工土２中に延びる格子組みした埋設配筋マット１０で前面配筋マット９及び前面覆工ネット８を引き留めし、上記前面覆工ネット８の背面には植生マット１１を配し、前面配筋マット９の前面から植物が繁茂できるようにした擁壁を形成し、又は上記前面配筋マット９と埋設配筋マット１０を用いずに、前面覆工ネット８の上下端から埋設ネットを被覆工土２中に延ばし、被覆工土２をネットで囲い込みネット背面に植生マット１１を配し、前面から植物が繁茂できるようにした擁壁を形成する。所謂ジオテキスタイル工法によって擁壁を形成し、該擁壁に本発明に係る鳥類営巣構造を形成する。
【００４８】
詳述すると、上記ジオテキスタイル工法によって形成した擁壁の前面の適所にネットや配筋マットで覆工しない窓を形成し、該窓内に図４，図５に示したコンクリートパネル１ａに代表される覆工板１を配設し、該擁壁を形成する覆工板１に鳥の出入用開口４を貫設し、上記営巣用土柱５を上記覆工板１の背面の被覆工土２中にその周面５ｃ，５ｄ，５ｅ及び後端面５ｂが被覆工土２と接するように埋設し、該営巣用土柱５の覆工板１と対向する前端面５ａの周面を覆工板１の背面に略当接状態にして同前端面５ａを上記鳥出入用開口４の背面側開口面に面して露出させる。
【００４９】
又は上記営巣用土柱５を上記覆工板１の背面の被覆工土２中にその上面５ｃを除く周面５ｄ，５ｅ及び後端面５ｂが被覆工土２と接するように埋設し、営巣用土柱５の上面５ｃを前記止水板又は止水層７で覆い、該営巣用土柱５の覆工板１と対向する前端面５ａの周面を覆工板１の背面に略当接状態にして同前端面５ａを上記鳥出入用開口４の背面側開口面に面して露出せしめる。
【００５０】
図４は広面積の単一の覆工板１を上記ジオテキスタイル工法によって形成した擁壁の前面の適所に配設し、上記営巣構造を形成した場合を示す。
【００５１】
図５は複数のコンクリートパネル１ａを上記ジオテキスタイル工法によって形成した擁壁の前面の適所に配設して覆工板１を形成し、上記営巣構造を形成した場合を示す。上記複数のコンクリートパネル１ａは一面の覆工板１を形成する。例えば覆工板１を形成する各コンクリートパネル１ａの下辺が前方に張り出す武者返し構造にし、ヘビ等の外敵の侵入を防止する構造にする。
【００５２】
この武者返し構造のコンクリートパネル１ａの何れかに上記鳥出入用開口４を設け、営巣用土柱５を埋設する。
【００５３】
本発明は上記覆工ネット８の背面に現場で発生した土砂又は採石等の砂利を裏込めすることができ、この裏込材２ａをも被覆工土２と称し、この裏込材２ａ中に上記営巣用土柱５を埋設し横設する場合を含む。
【００５４】
＜第三実施形態・・・図６参照＞
図６に示すように、被覆工面に多数の裏込め室６を有するコンクリートブロック１ｂを上下に積み上げ一定の仰角勾配を有する擁壁を形成する。本発明においては該コンクリートブロック１ｂの前壁を覆工板１と称する。上記裏込め室６内には現場で発生した土砂、砕石等の砂利を充填する。即ち裏込材２ａを裏込めする。
【００５５】
上記擁壁を形成する覆工板１、即ちコンクリートブロック１ｂの前壁に鳥の出入用開口４を貫設し、該覆工板１の背面の被覆工土２中、即ち覆工板１にて覆工される被覆工土２（裏込材２ａを含む）中に上記営巣適性土を締め固めして形成した営巣用土柱５を裸で埋設し、即ち上記営巣用土柱５を上記覆工板１の背面の被覆工土２中にその周面５ｃ，５ｄ，５ｅ及び後端面５ｂが被覆工土２と接するように埋設し、該営巣用土柱５の覆工板１と対向する前端面５ａの周面を覆工板１の背面に略当接状態にして同前端面５ａを上記鳥出入用開口４の背面側開口面に面して露出させる。
【００５６】
又は上記営巣用土柱５を上記覆工板１の背面の被覆工土２中にその上面５ｃを除く周面５ｄ，５ｅ及び後端面５ｂが被覆工土２と接するように埋設し、営巣用土柱５の上面５ｃを前記止水板又は止水層７で覆い、該営巣用土柱５の覆工板１と対向する前端面５ａの周面を覆工板１の背面に略当接状態にして同前端面５ａを上記鳥出入用開口４の背面側開口面に面して露出せしめる。
【００５７】
上記営巣用土柱５は裏込め室６内に充填した裏込材２ａ中に埋設し、且つその後端部を本来の地盤を形成する被覆工土２中に埋設する。この裏込材２ａと本来の地盤を被覆工土２と称することは前記の通りである。
【００５８】
＜第四実施形態・・・図７参照＞
図７に示すように比較的低背の擁壁においては、大形のＬ形コンクリートブロック１ｂを基礎コンクリート上に設置し被覆工面を覆工する擁壁を形成することが行われている。
【００５９】
本発明においては上記Ｌ形コンクリートブロック１ｂの前壁を覆工板１と称する。上記覆工板１の背面には現場で発生した土砂、砕石等の砂利を充填する。即ち裏込材２ａを裏込めする。
【００６０】
上記擁壁を形成する覆工板１、即ちコンクリートブロック１ｂの前壁に鳥の出入用開口４を貫設し、該覆工板１の背面の被覆工土２中、即ち覆工板１にて覆工される被覆工土２（裏込材２ａを含む）中に上記営巣適性土を締め固めして形成した営巣用土柱５を裸で埋設し、即ち上記営巣用土柱５を上記覆工板１の背面の被覆工土２中にその周面５ｃ，５ｄ，５ｅ及び後端面５ｂが被覆工土２と接するように埋設し、該営巣用土柱５の覆工板１と対向する前端面５ａの周面を覆工板１の背面に略当接状態にして同前端面５ａを上記鳥出入用開口４の背面側開口面に面して露出させる。
【００６１】
又は上記営巣用土柱５を上記覆工板１の背面の被覆工土２中にその上面５ｃを除く周面５ｄ，５ｅ及び後端面５ｂが被覆工土２と接するように埋設し、営巣用土柱５の上面５ｃを前記止水板又は止水層７で覆い、該営巣用土柱５の覆工板１と対向する前端面５ａの周面を覆工板１の背面に略当接状態にして同前端面５ａを上記鳥出入用開口４の背面側開口面に面して露出せしめる。
【００６２】
上記営巣用土柱５はその前端部を裏込材２ａ中に埋設し、且つその後端部を本来の地盤を形成する被覆工土２中に埋設する。この裏込材２ａと本来の地盤を被覆工土２と称することは前記の通りである。
【００６３】
上記の如くして埋設した営巣用土柱５は、その全周面又は上面を除く全周面において被覆工土２と接する環境にし、鳥出入用開口４において露出する営巣用土柱５の前端面５ａから内奥に向け営巣トンネル１２を掘削する営巣行為を有効に誘起することができる。
【００６４】
即ち上記各営巣用土柱５を使用した擁壁における鳥類営巣構造においては、カワセミ、ヤマセミ、ショウドウツバメ等、崖に自力で営巣トンネルを掘削して営巣する鳥類に適した営巣環境を提供でき、これら鳥の繁殖を阻害する巣箱やプラスチック管又はプラスチック製容器による営巣忌避の問題を有効に解決できる。
【００６５】
又擁壁における鳥類営巣構造を短い工期に且つ安価に形成できる。
【図面の簡単な説明】
【００６６】
【図１】本発明に係る擁壁における鳥類営巣構造を、テールアルメ工法により形成された擁壁に実施した場合の断面図。
【図２】上記図１の擁壁において角柱形の営巣用土柱を埋設した実施形態を示す断面図。
【図３】上記図１の擁壁において蒲鉾形の営巣用土柱を埋設した実施形態を示す断面図。
【図４】Ａは本発明に係る擁壁における鳥類営巣構造を、ジオテキスタイル工法により形成された擁壁に実施した場合の断面図、Ｂは同正面図。
【図５】本発明に係る擁壁における鳥類営巣構造を、ジオテキスタイル工法により形成された擁壁に実施した場合の他例を示す断面図。
【図６】本発明に係る擁壁における鳥類営巣構造を、裏込め室を有するコンクリートブロックにより形成した擁壁に実施した場合を示す断面図。
【図７】本発明に係る擁壁における鳥類営巣構造を、Ｌ形コンクリートブロックにより形成した擁壁に実施した場合を示す断面図。
【図８】Ａは営巣用土柱の一例を示す横断面図、Ｂは同縦断面図。
【図９】Ａは営巣用土柱の他例を示す横断面図、Ｂは同縦断面図。
【図１０】Ａは営巣用土柱の更に他例を示す横断面図、Ｂは同縦断面図。
【符号の説明】
【００６７】
１…覆工板、１ａ…コンクリートパネル、１ｂ…コンクリートブロック、２…被覆工土、２ａ…裏込材、３…牽引材、４…鳥出入用開口、５…営巣用土柱、５′…強締め固め土、５″…弱締め固め土、５ａ…前端面、５ｂ…後端面、５ｃ…上面、５ｄ…側面、５ｅ…底面、６…裏込め室、７…止水板又は止水層、８…前面覆工ネット、９…前面配筋マット、１０…埋設配筋マット、１１…植生マット、１２…営巣トンネル
【図１】
2006109809.tif 000003
【図２】
2006109809.tif 000004
【図３】
2006109809.tif 000005
【図４】
2006109809.tif 000006
【図５】
2006109809.tif 000007
【図６】
2006109809.tif 000008
【図７】
2006109809.tif 000009
【図８】
2006109809.tif 000010
【図９】
2006109809.tif 000011
【図１０】
2006109809.tif 000012